(57)【特許請求の範囲】
【請求項１】
フロント筐体コンポーネントとカバーガラスとを有する、端末装置の筐体コンポーネントであって、
前記フロント筐体コンポーネントは、フロント筐体と、該フロント筐体の表面に配置された複数の支持部材とを有し、
前記フロント筐体の前記表面に第１の接着剤案内溝が間隔を置いて配置され、
前記支持部材の表面に第２の接着剤案内溝が配置され、
前記フロント筐体の前記表面上に前記第１の接着剤案内溝及び前記第２の接着剤案内溝を投影したものが一緒になって、少なくとも１つの完全なリングを画成し、且つ
前記第１の接着剤案内溝及び前記第２の接着剤案内溝の中にディスペンス接着剤が配置されて、前記カバーガラスが前記フロント筐体コンポーネントに密封接続されている、
筐体コンポーネント。
【請求項２】
前記フロント筐体は、フロント筐体側壁とフロント筐体底部壁とを有し、
前記支持部材は、互いに平行な上面及び下面と、該上面と該下面との間の４つのファサードとを有する六面体であり、且つ
前記下面が前記フロント筐体底部壁に取り付けられ、前記フロント筐体側壁から遠い側の前記支持部材の１つのファサードが前記フロント筐体底部壁に対して垂直であり、前記支持部材の他の３つのファサードのうちの少なくとも１つは斜面である、
請求項１に記載の筐体コンポーネント。
【請求項３】
前記フロント筐体の前記表面上に前記第１の接着剤案内溝及び前記第２の接着剤案内溝を前記投影したものが一緒になって、重なり合わない複数の完全なリングを画成する、請求項１に記載の筐体コンポーネント。
【請求項４】
前記フロント筐体の前記表面上に前記第１の接着剤案内溝及び前記第２の接着剤案内溝を前記投影したものが一緒になって、重なり合わない複数の完全なリングを画成し、
前記複数の完全なリングのうちの少なくとも１つは、前記フロント筐体の前記表面上に前記支持部材の前記上面を投影したものと重ならない、
請求項２に記載の筐体コンポーネント。
【請求項５】
前記第１及び第２の接着剤案内溝はレーザ彫刻によって形成されている、請求項１乃至４のいずれか一項に記載の筐体コンポーネント。
【請求項６】
請求項１乃至５のいずれか一項に記載の筐体コンポーネントを有する端末。
【請求項７】
当該端末はモバイルフォンである、請求項６に記載の端末。
【請求項８】
当該端末はタブレットコンピュータである、請求項６に記載の端末。
【請求項９】
請求項１乃至５のいずれか一項に記載の端末装置の筐体コンポーネントを接続する方法であって、
前記フロント筐体の前記表面上の前記第１の接着剤案内溝の中に第１のディスペンス接着剤が配置され、
前記支持部材上の前記第２の接着剤案内溝の中に第２のディスペンス接着剤が配置され、
前記第２のディスペンス接着剤が前記支持部材を覆い、
前記第１のディスペンス接着剤と前記第２のディスペンス接着剤とが、前記フロント筐体の前記表面に対して垂直な方向において同じ高さを有し、
前記第１のディスペンス接着剤及び前記第２のディスペンス接着剤を用いることによって、前記フロント筐体コンポーネントが前記カバーガラスに接続される、
方法。
【発明の詳細な説明】
【技術分野】
【０００１】
本発明は、端末装置技術の分野に関し、特に、端末装置の筐体コンポーネント及び端末に関する。
【背景技術】
【０００２】
現在、例えばスマートフォン、スマートウォッチ、及びタブレットコンピュータなどの様々なタイプの端末装置が、あらゆる人の日常生活で使用されている。人々の使用要求がますます高まるにつれて、そのようなタイプの端末装置の防水性能に対する要求もますます高まっている。
【０００３】
従来技術には、端末装置のスクリーンのカバーガラスを端末装置に接続する２つの一般的な手法が含まれる。一方の手法は、両面接着テープを使用することによる接着であり、他方の手法は、接着剤を使用することにより接着剤ディスペンスを行うものである。ディスペンス接着剤は防水効果を持つが、防水規格が高められるにつれて、カバーガラスと支持部材との間の接合部で水漏れが起こり得る。
【発明の概要】
【０００４】
本発明の実施形態は、端末装置の筐体とカバーガラスとの間の防水シール性能を向上させる端末装置の筐体コンポーネント及び端末を提供する。
【０００５】
第１の態様によれば、本発明の特定の一実施形態は、端末装置の筐体コンポーネントを提供する。当該筐体コンポーネントは、フロント筐体コンポーネントとカバーガラスとを含む。フロント筐体コンポーネントは、フロント筐体と、該フロント筐体の表面に配置された複数の支持部材とを含む。フロント筐体の上記表面に第１の接着剤案内溝が間隔を置いて配置される。支持部材の表面に第２の接着剤案内溝が配置される。フロント筐体の上記表面上に第１の接着剤案内溝及び第２の接着剤案内溝を投影したものは、重なり合わない完全なリングである。第１の接着剤案内溝及び第２の接着剤案内溝の中にディスペンス接着剤が配置されて、カバーガラスがフロント筐体コンポーネントに密封接続されている。フロント筐体コンポーネント上の接着剤案内溝の中にディスペンス接着剤が配置されることで、カバーガラスとフロント筐体コンポーネントとの間の防水シール性能が向上される。
【０００６】
取り得る一設計において、フロント筐体は、フロント筐体側壁とフロント筐体底部壁とを含む。支持部材は、互いに平行な上面及び下面と、該上面と該下面との間の４つのファサードとを含む六面体である。上記下面がフロント筐体底部壁に取り付けられ、フロント筐体側壁から遠い側の支持部材の１つの面がフロント筐体底部壁に対して垂直であり、支持部材の他の３つの表面のうちの少なくとも１つは斜面である。フロント筐体コンポーネントとカバーガラスとの間のディスペンス接着剤がいっそう密に（more  tightly）押しつぶされるように、支持部材の複数のファサードが斜面として設定される。
【０００７】
取り得る一設計において、複数の第１の接着剤案内溝が存在し、且つ複数の第２の接着剤案内溝が存在する。フロント筐体の上記表面上に第１の接着剤案内溝及び上記第２の接着剤案内溝を投影したものは、重なり合わない複数の完全なリングである。少なくとも１つのリングが、筐体の表面上に支持部材を投影したものと部分的に重なる。
【０００８】
取り得る一設計において、接着剤案内溝はレーザ彫刻によって形成される。
【０００９】
第２の態様によれば、本発明の特定の一実施形態は、第１の態様による筐体コンポーネントのいずれか１つを含む端末を提供する。
【００１０】
第３の態様によれば、第２の態様による端末はモバイルフォンである。
【００１１】
第４の態様によれば、第２の態様による端末はタブレットコンピュータである。
【００１２】
第５の態様によれば、本発明の特定の一実施形態は、端末装置の筐体コンポーネントを接続する方法を提供する。フロント筐体の表面上の第１の接着剤案内溝の中に第１のディスペンス接着剤が配置される。支持部材上の第２の接着剤案内溝の中に第２のディスペンス接着剤が配置される。第２のディスペンス接着剤が支持部材を覆う。第１のディスペンス接着剤と第２のディスペンス接着剤とが、フロント筐体側壁の方向において同じ高さを有する。第１のディスペンス接着剤及び第２のディスペンス接着剤を用いることによって、フロント筐体コンポーネントがカバーガラスに接続される。
【００１３】
本発明の実施形態は、端末装置の筐体コンポーネント、及び端末を提供する。フロント筐体コンポーネントの表面が更に、それを投影したものがリングである接着剤案内溝を含む。フロント筐体コンポーネント上の接着剤案内溝の中にディスペンス接着剤が配置されて、フロント筐体コンポーネントをカバーガラスに接続する。従って、カバーガラスとフロント筐体コンポーネントとの間の接続の防水シール性能が向上される。
【図面の簡単な説明】
【００１４】
【図１ａ】本発明の特定の一実施形態に従った筐体コンポーネントの上面図である。
【図１ｂ】本発明の特定の一実施形態に従った筐体コンポーネントの断面図である。
【図２】本発明の特定の一実施形態に従ったフロント筐体コンポーネントの局所的な上面図である。
【図３】本発明の特定の一実施形態に従った、筐体コンポーネントの支持部材の位置での、接着剤ディスペンスが実行された後の概略的な構造図である。
【図４】本発明の特定の一実施形態に従った、筐体コンポーネントのフロント筐体の位置での、接着剤ディスペンスが実行された後の概略的な構造図である。
【図５】本発明の特定の一実施形態に従った、筐体コンポーネントがカバーガラスに接続された後の支持部材の位置での局所的な断面図である。
【図６】本発明の特定の一実施形態に従った、筐体コンポーネントがカバーガラスに接続された後のフロント筐体の位置での局所的な断面図である。
【図７】本発明の特定の一実施形態に従った筐体コンポーネントを示している。
【発明を実施するための形態】
【００１５】
以下にて更に、添付の図面及び実施形態を参照して、本発明の実施形態の技術的ソリューションを詳細に説明する。
【００１６】
図１ａは、本発明の特定の一実施形態に従った筐体コンポーネントの上面図である。図１ｂは、本発明の特定の一実施形態に従った筐体コンポーネントの断面図である。図１ａ及び図１ｂに示すように、筐体コンポーネント２０は、バック筐体１０とフロント筐体コンポーネント２０とを含んでいる。バック筐体１０は更に、バック筐体側壁１０１とバック筐体底部壁１０２とを含んでいる。フロント筐体コンポーネント２０は、バック筐体１０内に配置される。フロント筐体コンポーネント２０は、フロント筐体２０１と支持部材２０２とを含んでいる。支持部材２０２は、フロント筐体２０１上に固定して配置される。
【００１７】
フロント筐体２０１は、フレーム構造を有しており、フロント筐体側壁２０１１とフロント筐体底部壁２０１２とを含んでいる。フロント筐体側壁２０１１は、バック筐体１０に接続するように構成される。フロント筐体底部壁２０１２上に支持部材２０２及び別の対応するコンポーネントが配置される。フロント筐体底部壁２０１２の中央に、矩形の開口部２０１３が含められ、矩形の開口部２０１３の中にディスプレイスクリーン２０７が配置される。本発明の特定の一実施形態において、複数の支持部材２０２がフロント筐体底部壁２０１２上に配置される。支持部材２０２は、矩形の開口部に沿って底部壁２０１２のあちこちに配置される。支持部材２０２上にカバーガラス（Ｃｏｖｅｒ  Ｇｌａｓｓ、ＣＧ）２０５が配置される。フロント筐体コンポーネント２０とカバーガラス２０５との間にはディスペンス接着剤（dispensing  glue）が配置される。フロント筐体コンポーネント２０は、ディスペンス接着剤を使用することによってカバーガラス２０５と固定される。
【００１８】
本発明の特定の一実施形態において、フロント筐体コンポーネント２０の表面は更に、接着剤案内溝２０３を含んでいる。接着剤案内溝は、第１の接着剤案内溝２０３１と第２の接着剤案内溝２０３２とを含む。第１の接着剤案内溝２０３１はフロント筐体底部壁２０１２の表面に間隔を置いて配置されており、第２の接着剤案内溝２０３２は支持部材２０２の表面に配置されている。フロント筐体２０１の表面上に第１の接着剤案内溝２０３１及び第２の接着剤案内溝２０３２を投影したものは、重なり合わない完全なリングであり、リングは、フロント筐体２０１のフレームによって取り囲まれた閉リングである。具体的には、フロント筐体底部壁２０１２上で支持部材２０２が配置された位置に第２の接着剤案内溝２０３２が配置されており、フロント筐体底部壁２０１２上で支持部材２０２が配置されない位置に第１の接着剤案内溝２０３１が配置されている。
【００１９】
一例において、フロント筐体コンポーネント２０の表面に接着剤案内溝２０３を形成するよう、レーザ彫刻によってフロント筐体コンポーネント２０が加工される。フロント筐体コンポーネント２０上の接着剤案内溝２０３の中にディスペンス接着剤が配置されることで、カバーガラス２０５がフロント筐体コンポーネント２０に密封接続される。
【００２０】
接着剤案内溝２０３が支持部材２０２上に配置され、それにより、ディスペンス接着剤を使用することによってフロント筐体コンポーネント２０上でカバーガラス２０５がフロント筐体コンポーネント２０に直接的に接続される場合に支持部材２０２とカバーガラス２０３とを封止することができないことによる防水性能の劣化が防止される。
【００２１】
オプションで、フロント筐体コンポーネント２０は、複数の第１の接着剤案内溝２０３１と複数の第２の接着剤案内溝２０３２とを含み得る。フロント筐体底部壁２０１２の表面上に複数の第１の接着剤案内溝２０３１及び複数の第２の接着剤案内溝２０３１を投影したものは、重なり合わない複数の完全なリングである。従って、ディスペンス接着剤を使用することによってフロント筐体コンポーネント２０がカバーガラス２０５に接続される時に、複数のシール表面が形成され、それにより、フロント筐体コンポーネント２０とカバーガラス２０５との間の防水性能が向上される。
【００２２】
図２は、本発明の特定の一実施形態に従ったフロント筐体コンポーネントの局所的な上面図である。図２に示すように、本発明の特定の一実施形態において、支持部材２０３は六面体である。六面体は、互いに平行な上面及び下面と、該上面と該下面との間の４つのファサードとを含む。４つのファサードにおいて、１つのファサードは垂直面２０２４であり、垂直面２０２４は、フロント筐体側壁２０１１から遠い側であるとともにフロント筐体底部壁２０１２に対して垂直である。４つのファサードにおいて、垂直面２０２４以外の３つのファサードのうちの少なくとも１つは斜面とし得る。本発明のこの実施形態において、それら３つのファサードが全て斜面、例えば、第１の斜面２０２１、第２の斜面２０２２、及び第３の斜面２０２３、である例が使用される。第２の斜面２０２２及び第３の斜面２０２３は別々に第１の斜面２０２１に隣接している。
【００２３】
上述の例において、それらを投影したものが重なり合わない完全なリングとなる２つの接着剤案内溝２０３をフロント筐体コンポーネント２０が含むとき、第２の接着剤案内溝２０３２は、支持部材２０２の頂面、第２の斜面２０２２、及び第３の斜面２０２３を突き抜け、また、第２の接着剤案内溝２０３２は、第１の斜面２０２１を突き抜ける。
【００２４】
支持部材２０２の上面と下面との間の斜面である複数のファサードが存在する六面体構造に基づいて、ディスペンス接着剤を使用することによってカバーガラス２０５がフロント筐体コンポーネント２０に接続されるとき、カバーガラス２０５がフロント筐体コンポーネント２０との間のシール性能が向上される。
【００２５】
図３は、本発明の特定の一実施形態に従った、筐体コンポーネントの支持部材の位置での、接着剤ディスペンスが実行された後の概略的な構造図である。図３ａは概略断面図であり、図３ｂは上面図である。図４は、本発明の特定の一実施形態に従った、筐体コンポーネントのフロント筐体の位置での、接着剤ディスペンスが実行された後の概略的な構造図である。図４ａは概略断面図であり、図４ｂは上面図である。図３及び図４に示すように、ディスペンス接着剤２０４が接着剤案内溝２０３の中に配置されて、カバーガラス２０５をフロント筐体コンポーネント２０に接続する。
【００２６】
図５は、本発明の特定の一実施形態に従った、筐体コンポーネントがカバーガラスに接続された後の支持部材の位置での局所的な断面図である。図５ａは概略断面図であり、図５ｂは上面図である。図６は、本発明の特定の一実施形態に従った、筐体コンポーネントがカバーガラスに接続された後のフロント筐体の位置での局所的な断面図である。図６に示すように、図６ａは概略断面図であり、図６ｂは上面図である。図５及び図６に示すように、フロント筐体コンポーネント２０がカバーガラス２０５に接続されるときに、ディスペンス接着剤２０４が押しつぶされる。支持部材２０２が接着剤案内溝２０３を含んでいるので、ディスペンス接着剤２０４が支持部材２０２に沿って散り広がり、フロント筐体コンポーネント２０とカバーガラス２０５との間の接続がいっそう密なもの（tighter）になる。支持部材２０２も接着剤案内溝２０３を含んでいるので、ディスペンス接着剤２０４を使用することによって、接着剤案内溝２０３が第１の支持表面２０２５と第２の支持表面２０２６とに分割される。支持部材２０２とカバーガラス２０５との間の接続表面は容易に隙間を有し得るので、支持部材２０２を突き抜ける接着剤案内溝２０３を使用することによって、支持部材２０２及びフロント筐体コンポーネント２０との間にシール表面２０６が形成される。
【００２７】
本発明の特定の一実施形態において、フロント筐体コンポーネントに配置される接着剤案内溝には複数の形態が存在し得る。図７は、本発明の特定の一実施形態に従った筐体コンポーネントを示している。図７ａは、フロント筐体の位置での局所的な断面図であり、図７ｂは、支持部材の位置での局所的な断面図である。図７に示すように、第１のリング投影を持つ接着剤案内溝２０３１と、第２のリング投影を持つ接着剤案内溝２０３２と、第３のリング投影を持つ接着剤案内溝２０３３とが含められている。従って、フロント筐体コンポーネント２０がカバーガラス２０５に接続された後、より多くのシール表面２０６が形成され、それにより、フロント筐体コンポーネント２０とカバーガラス２０５との間のシール性能が向上される。
【００２８】
本発明の特定の一実施形態において、端末装置の筐体コンポーネントに接続する方法が更に提供される。フロント筐体の表面上の第１の接着剤案内溝の中に第１のディスペンス接着剤が配置される。支持部材上の第２の接着剤案内溝の中に第２のディスペンス接着剤が配置される。第２のディスペンス接着剤が支持部材を覆う。第１のディスペンス接着剤と第２のディスペンス接着剤とが、フロント筐体側壁の方向において同じ高さを有する。第１のディスペンス接着剤及び第２のディスペンス接着剤を用いることによって、フロント筐体コンポーネントがカバーガラスに接続される。
【００２９】
本発明の特定の一実施形態において、端末装置は、例えばモバイルフォン又はタブレットコンピュータなどの任意の装置である。
【００３０】
以上の特定の実施にて更に、本発明の目的、技術的ソリューション、及び有益な効果を詳細に説明した。理解されるべきことには、以上の説明は、単に本発明の特定の実装であり、本発明の保護範囲を限定することを意図したものではない。本発明の精神及び原理から逸脱することなく為される如何なる変更、均等置換、又は改良も、本発明の保護範囲に入るべきである。
【図１ａ】
0006855581.tif 000002
【図１ｂ】
0006855581.tif 000003
【図２】
0006855581.tif 000004
【図３ａ】
0006855581.tif 000005
【図３ｂ】
0006855581.tif 000006
【図４ａ】
0006855581.tif 000007
【図４ｂ】
0006855581.tif 000008
【図５ａ】
0006855581.tif 000009
【図５ｂ】
0006855581.tif 000010
【図６ａ】
0006855581.tif 000011
【図６ｂ】
0006855581.tif 000012
【図７ａ】
0006855581.tif 000013
【図７ｂ】
0006855581.tif 000014